(57)【要約】      （修正有）【課題】ダンパー装置を、より適切に、かつ、そのアセンブリーが一層容易になるように、構成する。【解決手段】ピストン１をその移動に一定の抵抗を生じさせるように納めたシリンダー２と、このピストン１に連結されてこのピストン１に作用される前記抵抗を制動力として外部に伝達する変形可能な長尺材よりなる伝達部材３と、シリンダー２の開口部２ｆを塞ぐキャップ体４とを備えるダンパー装置である。シリンダー２の開口縁２ｇはシリンダー２の内面に連なるアール面となっていると共に、キャップ体４には、アール面による伝達部材３のガイドが可能となるようにして伝達部材３を通過させる伝達部材３の挿通部４ａが備えられている。【選択図】図１
2011127648.tif 000002
【特許請求の範囲】
【請求項１】
ピストンをその移動に一定の抵抗を生じさせるように納めたシリンダーと、このピストンに連結されてこのピストンに作用される前記抵抗を制動力として外部に伝達する変形可能な長尺材よりなる伝達部材と、シリンダーの開口部を塞ぐキャップ体とを備えるダンパー装置であって、
シリンダーの開口縁はシリンダーの内面に連なるアール面となっていると共に、
キャップ体には、アール面による伝達部材のガイドが可能となるようにして伝達部材を通過させる伝達部材の挿通部が備えられていることを特徴とするダンパー装置。
【請求項２】
キャップ体はシリンダーの中心軸を回転中心とするようにシリンダーの開口部に回転可能に取り付けられていることを特徴とする請求項１に記載のダンパー装置。
【請求項３】
ピストンとキャップ体との間に、中心に伝達部材の通過部を備えたセンタリング部材が備えられていることを特徴とする請求項１又は請求項２に記載のダンパー装置。
【請求項４】
ピストンの移動に追随してセンタリング部材が移動されるように両者が連結されていると共に、
伝達部材によりセンタリング部材にシリンダーの中心軸に交叉する向きの力が作用されたときにセンタリング部材の外周部とシリンダーの内面とでこの力を受けるようになっていることを特徴とする請求項３に記載のダンパー装置。
【発明の詳細な説明】
【技術分野】
【０００１】
この発明は、ピストンをその移動に一定の抵抗を生じさせるように納めたシリンダーと、このピストンに連結されてこのピストンに作用される前記抵抗を制動力として外部に伝達する伝達部材とを備えてなるダンパー装置の改良に関する。
【背景技術】
【０００２】
ピストンをその移動に一定の抵抗を生じさせるように納めたシリンダーと、このピストンに線一端を止着されてシリンダー内から引き出される線条材とを備え、このシリンダーを収納箱に固定し、この線条材の他端をこの収納箱のリッドに固定して、かかるリッドの回動に線条材を介して前記抵抗を制動力として作用させるようにしたダンパー装置がある。（特許文献１参照）
【０００３】
かかるダンパー装置にあっては、シリンダー内にピストンを収めた後、このシリンダーの開放側の端部に線条材の通し孔を備えたキャップを嵌め付けて、シリンダーとピストンとを組み合わせている。しかるに、かかるダンパー装置にあっては、線条材はキャップに常時接することから、キャップとシリンダーとをガタなく組み合わせておく必要を生じさせる。両者の組み合わせ箇所にガタがある場合、リッドの可動による線条材の移動によって異音を生じさせるおそれがあるからである。また、かかるダンパー装置にあっては、そのアセンブリーにあたってキャップの通し孔に線条材をその一端側から挿通することを要させるものであった。
【先行技術文献】
【特許文献】
【０００４】
【特許文献１】実用新案登録第２５５７０６４号公報
【発明の概要】
【発明が解決しようとする課題】
【０００５】
この発明が解決しようとする主たる問題点は、この種のダンパー装置を、より適切に、かつ、そのアセンブリーが一層容易になるように、構成する点にある。
【課題を解決するための手段】
【０００６】
前記課題を達成するために、この発明にあっては、ダンパー装置を、ピストンをその移動に一定の抵抗を生じさせるように納めたシリンダーと、このピストンに連結されてこのピストンに作用される前記抵抗を制動力として外部に伝達する変形可能な長尺材よりなる伝達部材と、シリンダーの開口部を塞ぐキャップ体とを備えるダンパー装置であって、
シリンダーの開口縁はシリンダーの内面に連なるアール面となっていると共に、
キャップ体には、アール面による伝達部材のガイドが可能となるようにして伝達部材を通過させる伝達部材の挿通部が備えられているものとした。
【０００７】
前記キャップ体をシリンダーの中心軸を回転中心とするようにシリンダーの開口部に回転可能に取り付けさせておくことが好ましい態様の一つとされる。
【０００８】
シリンダーから引き出されている伝達部材にシリンダーの軸線に交叉する向きに張力が作用されるときは、前記挿通部によって伝達部材は前記アール面に摺接しこれにガイドされる。また、この状態からシリンダーから引き出されている伝達部材がシリンダーの軸線を巡る向きに移動された場合には、前記アール面に伝達部材を摺接させながらキャップ体が回転され、この場合でも伝達部材をアール面に摺接させこれにガイドさせ続けることができる。かかる挿通部は前記アール面による伝達部材のガイドが可能となるようにして伝達部材を通過させる構成となっていることから、シリンダーへのキャップ体の取り付けに先立つ挿通部への伝達部材の挿通を、長尺の伝達部材の端部からではなくその中間部をこの挿通部に側方から入り込ませることで容易になすことができる。
【０００９】
前記ピストンとキャップ体との間に、中心に伝達部材の通過部を備えたセンタリング部材を備えさせておくこともある。この場合にはさらに、ピストンの移動に追随してセンタリング部材が移動されるように両者を連結させると共に、伝達部材によりセンタリング部材にシリンダーの中心軸に交叉する向きの力が作用されたときにセンタリング部材の外周部とシリンダーの内面とでこの力を受けるようにしておくこともある。
【００１０】
かかる構成によれば、シリンダーの開口縁のアール面に伝達部材が摺接される場合であっても、センタリング部材によりセンタリング部材とピストンとの間では伝達部材はシリンダーの軸線に沿うように位置づけることができ、このような場合にピストンに傾きを生じさせてしまうことがなく、ピストンの円滑な移動を安定的に確保させることができる。
【発明の効果】
【００１１】
この発明によれば、ピストンをその移動に一定の抵抗を生じさせるように納めたシリンダーと、このピストンに連結されてこのピストンに作用される前記抵抗を制動力として外部に伝達する伝達部材とを備えてなるダンパー装置を、より適切に、かつ、そのアセンブリーが一層容易になるように、構成させることができる。
【図面の簡単な説明】
【００１２】
【図１】図１はダンパー装置の要部破断斜視構成図である。
【図２】図２は図１における矢印Ａで示す箇所の断面構成図である。
【図３】図３はダンパー装置を構成するキャップ体の斜視図である。
【図４】図４はダンパー装置を構成するキャップ体の平面図である。
【発明を実施するための形態】
【００１３】
以下、図１〜図４に基づいて、この発明の典型的な実施の形態について説明する。この実施の形態にかかるダンパー装置は、ピストン１をその移動に一定の抵抗を生じさせるように納めたシリンダー２と、このピストン１に連結されてこのピストン１に作用される前記抵抗を制動力として外部に伝達する伝達部材３とを備えてなるものであり、ピストンダンパーなどと称される。
【００１４】
かかるダンパー装置は、各種の可動体の移動に制動力を付与させるために用いられる。かかるダンパー装置は、例えば、扉やリッドのように回動される可動体や、引き出しのようにスライド移動される可動体のその移動に制動力を付与するために用いられる。また、かかるダンパー装置は、典型的には、前記可動体を支持する固定体及びかかる可動体のいずれか一方の側に前記伝達部材３を連係させると共に、これらの他方の側に前記ピストン１を固定させることで、かかる可動体の移動に制動力を作用する。
【００１５】
図示の例では、前記ピストン１は、シリンダー２内に最も押し込まれた状態から、前記伝達部材３を介して可動体の移動に追随してシリンダー２の内奥部２ａから離れる向きに移動し、この移動による抵抗を可動体に作用させるように構成されている。具体的には、図示の例では、シリンダー２の内奥部２ａから離れる向きにピストン１が移動されると、この内奥部２ａとピストン１との間の圧力室の圧力が外部の圧力よりも低圧になるようにしてあり、これによりシリンダー２の内奥部２ａから離れる向きへのピストン１の移動に抵抗を付与するようにしている。図示の例では、かかるピストン１と連結される後述のセンタリング部材５と後述のキャップ体４との間に圧縮コイルバネ６が収められており、ピストン１は前記内奥部２ａに近づく向きに常時付勢されている。これにより、前記内奥部からピストン１を離れ出させる向きの可動体の移動を止めた後にこの可動体を逆向きの移動すると、かかるバネ６の作用によりピストン１が復動されるようになっている。
【００１６】
シリンダー２の内奥部２ａの中央には、シリンダー２の軸線ｘに沿うように貫通孔２ｂが形成されており、ピストン１の移動時にはこの貫通孔２ｂを通じて外部からの圧力室への気体の流入を許容するように構成されている。また、かかるシリンダー２の貫通孔２ｂは、このシリンダー２の内奥部２ａの外側からかかる貫通孔２ｂに軸部７ｃを挿通させた栓状体７によって閉塞されている。この栓状体７は、円盤状をなす頭部７ａの一面側の中央に前記軸部７ｃを有している。また、図示の例では、栓状体７の頭部７ａはシリンダー２の外側において貫通孔２ｂを取り巻く周回壁状をなす収容部２ｄに納められている。この収容部２ｄにはシリンダーの軸線ｘ方向に長く続くガイド孔２ｅが形成されており、栓状体７はその頭部７ａの外縁部に形成された被ガイド部７ｂをこのガイド孔２ｅに入れ込ませて、シリンダー２の軸線ｘに沿った向きの移動可能に支持されている。また、かかる栓状体７の頭部７ａと内奥部２ａとの間には圧縮コイルバネ８が介装されており、このバネ８の付勢により栓状体７は前記軸部７ｃの全体を前記貫通孔２ｂに入り込ませない後退位置に位置づけられ、この後退位置において栓状体７の軸部７ｃの先端と貫通孔２ｂの圧力室側の孔口２ｃとの間には間隔が形成されるようになっている。また、栓状体７の軸部７ｃの外径は貫通孔２ｂの孔径よりもやや小さくなるようにしてある。シリンダー２の内奥部２ａから離れる向きにピストン１が移動されると、圧力室が低圧となるため、栓状体７は前記バネ８の付勢に抗して貫通孔２ｂへの軸部７ｃの入り込み寸法を大きくする向きに移動される。気体にも粘性抵抗があるため、このように貫通孔２ｂへの軸部７ｃの入り込み寸法が大きくなればなる程、貫通孔２ｂを通じて圧力室に外部から気体は流入し難くなり、圧力室と外部との圧力差は大きくなる。これにより、この例では、可動体の移動速度、すなわちシリンダー２の内奥部２ａから離れる向きのピストン１の移動速度が速ければ速いほど、貫通孔２ｂへの軸部７ｃの入り込み寸法を大きくして圧力室と外部との圧力差を大きくし、もってかかるピストン１に対する抵抗つまり可動体への制動力を大きくさせるようになっている。すなわち、この例にかかるダンパーは、いわゆる速度応答型のピストンダンパーとなっている。
【００１７】
また、かかるシリンダー２の開口部２ｆ、つまり、内奥部２ａと反対のシリンダー２の端部はキャップ体４により閉塞されている。また、このキャップ体４には、伝達部材３を通過させるこの伝達部材３の挿通部４ａが備えられている。伝達部材３は、変形可能な長尺材から構成されている。かかる伝達部材３としては典型的には紐状体やワイヤーなどを用いることができる。伝達部材３は、その一端をピストン１に止め付け、キャップ体４の挿通部４ａを通じてシリンダー２から外部に引き出されている。
【００１８】
ピストン１は、シリンダー２の内径と略等しい外径を備えた円盤状をなすように構成されている。ピストン１における圧力室に臨んだ前面１ａとシリンダー２の開口部２ｆ側に向けられた背面１ｂとの間にある側面には周回溝１ｃが形成されており、この周回溝１ｃを利用してピストン１の側面にはシールリング１ｄが備え付けられている。ピストン１の背面１ｂの略中程にフック部１ｅが形成されており、伝達部材３の一端に形成されたループをこのフック部１ｅに引っ掛けることでピストン１に伝達部材３が止め付けられている。ピストン１の背面１ｂにはフック部１ｅを取り巻く周回壁により短寸筒状部１ｆが形成されていると共に、この短寸筒状部１ｆの直径方向両側には、後述のセンタリング部材５に対する連結軸１ｇが突設されている。
【００１９】
キャップ体４は、円板状をなすキャップ主体４ｂと、このキャップ主体４ｂの一面に筒一端を一体に連接させた短寸筒状部４ｄと、係合爪４ｆとを備えている。キャップ主体４ｂはシリンダー２の開口部２ｆを塞ぐ大きさを備えている。短寸筒状部４ｄはシリンダー２の内径と略等しいか、これより小さい外径を持つように構成されている。係合爪４ｆは、キャップ主体４ｂの外縁部に片一端を一体に連接させて短寸筒状部４ｄと同じ方向に突き出す弾性片４ｈの先端内面に形成されている。図示の例では、係合爪４ｆはキャップ主体４ｂの周方向において隣り合う係合爪４ｆとの間に間隔分けて三箇所に設けられている。キャップ主体４ｂにはその中心に溝一端を位置させると共に、溝他端をその外縁部に至らせた直線状の割溝４ｃが形成されている。また、短寸筒状部４ｄには、この割溝４ｃの直下位置に、その筒一端から筒他端に亘る割溝４ｅが形成されている。図示の例ではこのキャップ主体４ｂの割溝４ｃ及び短寸筒状部４ｄの割溝４ｅによって前記挿通部４ａを形成させている。
【００２０】
また、前記シリンダー２の開口部２ｆの開口縁２ｇは、シリンダー２の内面に連なるアール面となっている。また、シリンダー２のこの開口部２ｆ側の端部には、この開口部２ｆを巡る外鍔２ｈが形成されている。そして、この外鍔２ｈの上面とシリンダー２の内面の間にあるシリンダー２の開口部２ｆの開口縁２ｇがアール面となっている。そして、キャップ体４はシリンダー２の軸線ｘ位置を回転中心とするようにこのシリンダー２の開口部２ｆに回転可能に取り付けられている。図示の例では、キャップ体４の短寸筒状部４ｄをシリンダー２内に入れ込ませると共に、キャップ主体４ｂと係合爪４ｆとの間で前記外鍔２ｈを挟み込むようにしてシリンダー２にキャップ体４が回転可能に取り付けられている。図示の例では、三箇所の係合爪４ｆの先端が位置される仮想の円の直径が外鍔２ｈの外径よりやや小さく、三箇所の係合爪４ｆを外鍔２ｈの上面に押し当てるようにキャップ体４を操作することで、弾性片４ｈを撓み込ませてこの外鍔２ｈの下面下に係合爪４ｆを入り込ませ、そこでの弾性片４ｈの撓み戻しにより外鍔２ｈの下面に係合爪４ｆを係合させるようにしている。図中符号４ｇで示す係合爪４ｆの爪先と弾性片４ｈの先端間の傾斜面により前記弾性片４ｈの撓み込みはスムースになされる。図示の例では、前記圧縮コイルバネ６の一端はこのように取り付けられるキャップ体４の短寸筒状部４ｄの筒他端に押し当てられている。
【００２１】
この実施の形態にあっては、前記アール面による伝達部材３のガイドが可能となるように、キャップ体４に伝達部材３を通過させる挿通部４ａが備えられている。シリンダー２から引き出されている伝達部材３にシリンダー２の軸線ｘに交叉する向きに張力が作用されるときは、前記挿通部４ａによって伝達部材３は前記アール面に摺接しこれにガイドされる。また、この状態からシリンダー２から引き出されている伝達部材３がシリンダー２の軸線ｘを巡る向きに移動された場合には、前記アール面に伝達部材３を摺接させながらキャップ体４が回転され、この場合でも伝達部材３をアール面に摺接させこれにガイドさせ続けることができる。図示の例では、かかる挿通部４ａはキャップ主体４ｂの割溝４ｃ及び短寸筒状部４ｄの割溝４ｅによって構成されていることから、シリンダー２へのキャップ体４の取り付けに先立つ挿通部４ａへの伝達部材３の挿通を、この溝状をなす挿通部４ａの開放された溝他端から伝達部材３の中間部をこの挿通部４ａに入り込ませることで容易になすことができる。
【００２２】
また、この実施の形態にあっては、ピストン１とキャップ体４との間に、中心に伝達部材３の通過部５ａを備えたセンタリング部材５が備えられている。図示の例では、ピストン１の移動に追随してセンタリング部材５が移動されるように両者が連結されていると共に、伝達部材３によりセンタリング部材５にシリンダー２の軸線ｘに交叉する向きの力が作用されたときにセンタリング部材５の外周部とシリンダー２の内面とでこの力を受けるようになっている。
【００２３】
かかるセンタリング部材５は、シリンダー２の内径よりも外径をやや小さくした円盤状をなすように構成されている。このセンタリング部材５は盤面となる前面５ｂ及び背面５ｃをそれぞれシリンダの軸線ｘに直交する向きに配させている。また、センタリング部材５の中心には、伝達部材３を通す貫通孔としての通過部５ａが形成されている。センタリング部材５におけるキャップ体４側に向けられた背面５ｃにおける通過部５ａの孔縁はアール面となっている。センタリング部材５の前面５ｂには通過部５ａを取り巻く周回壁によって短寸筒状部５ｄが形成されている。この短寸筒状部５ｄの内径はピストン１の背面１ｂに形成された短寸筒状部１ｆの外径よりも大きく、ピストン１とセンタリング部材５とはセンタリング部材５の短寸筒状部５ｄ内にピストン１の短寸筒状部１ｆを納めるようにして連結される。具体的には、センタリング部材５の短寸筒状部５ｄの直径方向両側にはそれぞれ、ピストン１の前記連結軸１ｇを納める長孔５ｅが形成されており、この長孔５ｅに連結軸１ｇを遊びを持たせて納めることでピストン１とセンタリング部材５とが連結されている。図示の例では、前記圧縮コイルバネ６の他端はかかるセンタリング部材５の裏面に押し当てられている。
【００２４】
これにより、この実施の形態にあっては、シリンダー２の開口縁２ｇのアール面に伝達部材３が摺接される場合であっても、センタリング部材５によりセンタリング部材５とピストン１との間では伝達部材３はシリンダー２の軸線ｘに沿うように位置づけることができ、このような場合にピストン１に傾きを生じさせてしまうことがなく、ピストン１の円滑な移動を安定的に確保させることができる。特に、この実施の形態にあっては、ピストン１と連結されているセンタリング部材５によって、シリンダの軸線ｘを挟んだ一方側においてピストン１の側面をシリンダー２の内面に押しつける向きに力が伝達部材３により作用されるようなときには、この軸線ｘを挟んだ他方側においてセンタリング部材５の外周部をシリンダー２の内面に接しさせて、ピストン１に傾きを生じさせることがない。
【符号の説明】
【００２５】
１  ピストン
２  シリンダー
２ｆ  開口部
２ｇ  開口縁
３  伝達部材
４  キャップ体
４ａ  挿通部
【図１】
2011127648.tif 000003
【図２】
2011127648.tif 000004
【図３】
2011127648.tif 000005
【図４】
2011127648.tif 000006